(57)【特許請求の範囲】
【請求項１】
情報管理装置から検査オーダを取得する情報取得手段と、
医用画像診断装置により収集される画像データを呼び出す画像呼び出し手段と、
前記情報取得手段で取得された前記検査オーダに含まれる過去画像の有無、検査日時、診断目的であることを表す情報、および治療目的であることを表す情報の少なくともいずれか１つの情報に基づいて、前記画像データの区分先を少なくとも診断、治療及び予後観察の中から判定する画像区分判定手段と、
前記画像区分判定手段による判定結果に応じて、前記区分先ごとに前記画像データに基づく画像を示すための画像観察画面を作成する画像観察画面作成手段と、
前記画像観察画面作成手段により作成された前記画像観察画面を表示手段に表示させる制御手段と
を備えることを特徴とする医用画像観察装置。
【請求項２】
前記画像観察画面のデータを記憶する記憶手段をさらに備え、
前記制御手段は、前記記憶手段に記憶されている前記画像観察画面のデータを読み出し、前記画像呼び出し手段により呼び出された前記画像データを、所定の区分先に配置して表示させる
ことを特徴とする請求項１に記載の医用画像観察装置。
【請求項３】
前記画像データの区分先は、診断画像、治療画像、および予後観察画像である
ことを特徴とする請求項１または請求項２に記載の医用画像観察装置。
【請求項４】
情報管理装置から検査オーダを取得する情報取得ステップと、
医用画像診断装置により収集される画像データを呼び出す画像呼び出しステップと、
前記情報取得ステップで取得された前記検査オーダに含まれる過去画像の有無、検査日時、診断目的であることを表す情報、および治療目的であることを表す情報の少なくともいずれか１つの情報に基づいて、前記画像データの区分先を少なくとも診断、治療及び予後観察の中から判定する画像区分判定ステップと、
前記画像区分判定ステップによる判定結果に応じて、前記区分先ごとに前記画像データに基づく画像を示すための画像観察画面を作成する画像観察画面作成ステップと、
前記画像観察画面作成ステップで作成された前記画像観察画面を表示手段に表示させる制御ステップと
を医用画像観察装置が備えるコンピュータに実行させることを特徴とする制御プログラム。
【発明の詳細な説明】
【技術分野】
【０００１】
本発明は、医用画像観察装置およびその制御プログラムに関し、特に、検査オーダに応じて画像データを区分けする医用画像観察装置およびその制御プログラムに関する。
【背景技術】
【０００２】
医用画像診断装置により収集された複数の画像データは、患者ごとに分類され、患者ごとの分類は更に検査ごとに分類されている。検査は画像のシリーズから成り立っており、シリーズには複数の画像が含まれている。このような構造で複数の画像データを分類すると、患者を頂点とし、その患者にある検査が実施され、その検査は画像のシリーズからなり、シリーズは複数の画像を含むことになる。
【０００３】
これは、DICOM（Digital Imaging and Communications in Medicine）規格に従うものとされ、目的の画像を得るために有効な階層構造となっている。
【０００４】
従来、画像データに対して任意の画像処理を施し、生成された画像データをキャプチャすると、新たに得られたキャプチャ画像データは、検査の新たなシリーズとして検査に登録され、保存されていた。
【０００５】
そこで、例えば、特許文献１には、キャプチャ画像を保存すべきシリーズを、画像処理条件（画像表示条件）などに従って区分けすることにより、効率的に画像データの検索および読影を行うことができる技術が提案されている。
【先行技術文献】
【特許文献】
【０００６】
【特許文献１】特開２００６−２８０５９８号公報
【発明の概要】
【発明が解決しようとする課題】
【０００７】
ところで、医療従事者は、様々な検査結果を参照しつつ、次の検査や治療の計画を立てることになるが、特許文献１の技術では、DICOMの規格に従うものとされており、実診断の過程に即したシステムになっていない課題があった。
【０００８】
例えば、複数の医用画像診断装置を利用した放射線画像検査を実施した場合、「検査」や「シリーズ」という区分では、診断の過程を意識することができない。つまり、放射線画像検査のオーダを発行する病院情報システムや、画像診断を行うシステムでは、患者の診断状況が考慮されていないため、医師や技師は、読影や診断を効率的に行うことができない。
【０００９】
本発明はこのような状況に鑑みてなされたものであり、その目的は、検査オーダに応じて画像データを区分けすることが可能な医用画像観察装置およびその制御プログラムを提供することである。
【課題を解決するための手段】
【００１０】
請求項１記載の発明の特徴は、医用画像観察装置において、情報管理装置から検査オーダを取得する情報取得手段と、医用画像診断装置により収集される画像データを呼び出す画像呼び出し手段と、情報取得手段で取得された検査オーダに含まれる過去画像の有無、検査日時、診断目的であることを表す情報、および治療目的であることを表す情報の少なくともいずれか１つの情報に基づいて、画像データの区分先を少なくとも診断、治療及び予後観察の中から判定する画像区分判定手段と、画像区分判定手段による判定結果に応じて、区分先ごとに画像データに基づく画像を示すための画像観察画面を作成する画像観察画面作成手段と、画像観察画面作成手段により作成された画像観察画面を表示手段に表示させる制御手段とを備える。
【００１１】
請求項４記載の発明の特徴は、制御プログラムにおいて、情報管理装置から検査オーダを取得する情報取得ステップと、医用画像診断装置により収集される画像データを呼び出す画像呼び出しステップと、情報取得ステップで取得された検査オーダに含まれる過去画像の有無、検査日時、診断目的であることを表す情報、および治療目的であることを表す情報の少なくともいずれか１つの情報に基づいて、画像データの区分先を少なくとも診断、治療及び予後観察の中から判定する画像区分判定ステップと、画像区分判定ステップによる判定結果に応じて、区分先ごとに画像データに基づく画像を示すための画像観察画面を作成する画像観察画面作成ステップと、画像観察画面作成ステップで作成された画像観察画面を表示手段に表示させる制御ステップとを医用画像観察装置が備えるコンピュータに実行させることである。
【発明の効果】
【００１２】
本発明によれば、検査オーダに応じて画像データを区分けすることにより、効率的に画像データの読影および診断を行うことが可能となる。
【図面の簡単な説明】
【００１３】
【図１】本発明を適用した医用画像区分システムの構成例を示す図である。
【図２】医用画像観察装置の機能構成例を示すブロック図である。
【図３】画像観察画面の表示例を示す図である。
【図４】画像区分処理を説明するフローチャートである。
【図５】画像観察画面の表示例を示す図である。
【図６】画像観察画面の他の表示例を示す図である。
【図７】画像観察画面の他の表示例を示す図である。
【図８】画像呼び出し処理を説明するフローチャートである。
【発明を実施するための形態】
【００１４】
以下、本発明の実施の形態について図面を参照して詳細に説明する。
【００１５】
図１は、本発明を適用した医用画像区分システムの構成例を示す図である。
【００１６】
図１に示す医用画像区分システムは、情報管理装置１、医用画像診断装置２、医用画像保管装置３、および医用画像観察装置４が図示せぬネットワークを介して接続されることによって構成される。
【００１７】
情報管理装置１は、医療機関で取り扱われる情報を管理する装置であり、例えば、HIS（Hospital Information System）およびRIS（Radiology Information System）を含む。HISは、病院内の事務的な情報を統括的に管理する病院情報管理システムである。例えば、HISでは、会計や検査の予約、薬の処方、食事の管理などの情報が管理されている。RISは、放射線部門内における医療情報を統括的に管理する放射線部門情報管理システムである。例えば、RISでは、HISと連携し、放射線部門の患者登録、検査の予約、診断結果登録、薬品、フィルム等の情報や実際に行われた検査内容、その検査内容の治療実績等が管理されている。
【００１８】
情報管理装置１は、操作者によって、患者情報やこれから行われる検査内容などの情報が入力された場合、入力された検査に関する情報を検査オーダとして医用画像診断装置２および医用画像観察装置４に供給する。
【００１９】
検査オーダには、操作者によって入力される、「診断」の目的であることを表す情報、「治療」の目的であることを表す情報、「予後観察」の目的であることを表す情報、あるいは、CAG（Coronary Angiography）やPCI（Percutaneous Coronary Intervention）などの情報が含まれる。CAGは、治療行為を伴わない心臓カテーテル検査であって、「診断」が目的の検査オーダに該当し、PCIは、CAGの結果行われる心臓経皮的冠動脈形成術であって、「治療」が目的の検査オーダに該当する。
【００２０】
また検査オーダには、この検査オーダに関連する過去に撮影された画像が存在する場合（例えば、２回目以降の検査オーダであり、過去に撮影された画像が存在する場合）、過去の画像が存在することを表す情報が付加される。
【００２１】
医用画像診断装置２は、医療機関における、ＣＴ（Computed Tomography）装置、MRI（Magnetic Resonance Imaging）装置、および超音波装置などで構成され、モダリティとも呼ばれる。
【００２２】
医用画像診断装置２は、情報管理装置１から供給された検査オーダに基づいて、被検者を撮影した画像データを収集するとともに、収集した画像データを、医用画像保管装置３に転送する。
【００２３】
また医用画像診断装置２は、操作者による指示に応じて、収集した画像データから２次的な画像データを生成し、生成した２次的な画像データを、医用画像保管装置３に転送する。２次的な画像データとは、例えば、治療目的で使用するために新たに生成した（複製した）画像データや、マルチフレームの中から１つのフレームを抽出して生成した特徴的な画像データなどである。
【００２４】
さらに医用画像診断装置２は、操作者による指示に応じて、治療目的で使用するために生成した２次的な画像データを「治療画像」の画像区分に決定し、予後観察目的で使用するために生成した２次的な画像データを「予後観察画像」の画像区分に決定し、決定した画像区分先を表す情報、および生成した２次的な画像データを識別する情報を、検査オーダに含ませて医用画像観察装置４に通知する。
【００２５】
医用画像保管装置３は、例えば、PACS（Picture Archiving Communication System）であり、医用画像診断装置２から転送されてきた画像データを保存および管理するシステムである。
【００２６】
医用画像観察装置４は、一般的なワークステーションからなり、プログラムとこのプログラム処理に必要となるデータを記憶する主記憶装置（例えば、HDD（Hard Disc Drive））、プログラムおよびデータに基づいて演算処理を行うCPU（Central Processing Unit）、ROM（Read Only Memory）、およびRAM（Random Access Memory）などから構成される。
【００２７】
医用画像観察装置４は、情報管理装置１から供給される検査オーダや、医用画像診断装置２から供給される、２次的な画像データの画像区分先を表す情報を含んだ検査オーダを取得し、取得した検査オーダに基づいて、医用画像保管装置３から呼び出す画像データの区分先を決定する。
【００２８】
医用画像観察装置４は、決定した画像データの区分先に基づいて、医用画像保管装置３から呼び出した画像データを所定の表示領域に表示することができる画像観察画面を予め作成し、記憶（登録）する。
【００２９】
医用画像観察装置４は、操作者により、患者IDや検査IDなどを表す情報が入力され、画像データの呼び出しが要求されると、医用画像保管装置３から対応する画像データを呼び出し、呼び出した画像を、予め登録した画像観察画面の所定の位置に配置して表示させる。
【００３０】
すなわち、医用画像観察装置４では、呼び出す画像データの区分先を予め決定しておくことで、医用画像診断装置２で収集され、医用画像保管装置３に保管された画像データを呼び出す際に、医師や技師の業務内容に即した画像区分表示を行うことが可能となる。
【００３１】
また医用画像観察装置４は、呼び出した画像データから２次的な画像データを生成し（呼び出した画像データが医用画像診断装置２で生成された２次的な画像データの場合には、３次的な画像データを生成し）、生成した２次的（３次的）な画像データの区分先を決定する。
【００３２】
医用画像観察装置４は、決定した画像データの区分先に基づいて、既に登録してある画像観察画面を更新し、生成した２次的（３次的）な画像を画像観察画面の所定の位置に配置して表示させる。
【００３３】
図２は、医用画像観察装置４の機能構成例を示すブロック図である。図２に示す機能部のうちの少なくとも一部は、医用画像観察装置４のCPUにより画像区分アプリケーションが実行されることによって実現される。
【００３４】
情報取得部４ａは、情報管理装置１から供給された検査オーダを取得する情報取得手段として機能する。取得した検査オーダは、画像区分判定部４ｂに出力される。
【００３５】
また情報取得部４ａは、医用画像診断装置２から供給された、２次的な画像データを識別する情報および画像区分先を表す情報を含んだ検査オーダを取得し、取得した情報を画像区分判定部４ｂに出力する。
【００３６】
画像区分判定部４ｂは、情報取得部４ａから出力された情報管理装置１の検査オーダから、後に呼び出す画像データの区分先を判定する画像区分判定手段として機能する。
【００３７】
例えば、検査オーダに過去画像が存在することを表す情報が付加されている場合には、その検査オーダにより収集され医用画像保管装置３に保管され、後に呼び出される画像データが「治療画像」の区分先に決定される。一方、検査オーダに過去画像が存在することを表す情報が付加されていない場合には、その検査オーダにより収集され医用画像保管装置３に保管され、後に呼び出される画像データが「診断画像」の区分先に決定される。
【００３８】
また例えば、検査オーダに診断目的であることを表す情報が含まれている場合には、その検査オーダにより収集され医用画像保管装置３に保管され、後に呼び出される画像データが「診断画像」の区分先に決定され、検査オーダに治療目的であることを表す情報が含まれている場合には、その検査オーダにより収集され医用画像保管装置３に保管され、後に呼び出される画像データが「治療画像」の区分先に決定される。
【００３９】
また例えば、１回目の検査オーダである場合には、その検査オーダにより収集され医用画像保管装置３に保管され、後に呼び出される画像データが「診断画像」の区分先に決定され、２回目以降の検査オーダで、かつ、前回の検査オーダから所定期間内の検査オーダである場合には、その検査オーダにより収集され医用画像保管装置３に保管され、後に呼び出される画像データが「治療画像」の区分先に決定され、２回目以降の検査オーダで、かつ、前回の検査オーダから所定期間が経過した検査オーダである場合には、その検査オーダにより収集され医用画像保管装置３に保管され、後に呼び出される画像データが「予後観察画像」の区分先に決定される。
【００４０】
また例えば、検査オーダにCAGの情報が含まれている場合には、その検査オーダにより収集され医用画像保管装置３に保管され、後に呼び出される画像データが「診断画像」の区分先に決定され、検査オーダにPCIの情報が含まれている場合には、その検査オーダにより収集され医用画像保管装置３に保管され、後に呼び出される画像データが「治療画像」の区分先に決定される。
【００４１】
画像区分判定部４ｂは、情報取得部４ａから供給された、医用画像診断装置２の検査オーダに含まれる画像識別情報および画像区分先を表す情報から、後に呼び出す画像データの区分先を決定する。つまり、医用画像診断装置２で２次的に生成される画像データの区分先は、情報管理装置１から供給される検査オーダに含まれる情報からでは判断することができないため、医用画像診断装置２から、２次的な画像データを識別する情報および画像区分先を表す情報を含んだ検査オーダが通知されることになっている。
【００４２】
画像区分判定部４ｂは、検査オーダ、および決定した画像データの区分先を表す情報を画像観察画面作成部４ｃに供給する。
【００４３】
画像観察画面作成部４ｃは、画像区分判定部４ｂから供給された検査オーダ、および画像データの区分先を表す情報に基づいて、医用画像保管装置３から呼び出す画像を、所定の表示領域に表示することができる画像観察画面を予め作成する画像観察画面作成手段として機能する。作成した画像観察画面のデータは、記憶部４ｄに出力され、そこに記憶される。この画像観察画面のデータには、決定された画像区分先に画像データを配置するための画像リンク情報が登録されている。
【００４４】
また画像観察画面作成部４ｃは、画像区分判定部４ｂから供給された検査オーダ、および画像データの区分先を表す情報から、画像観察画面が既に作成され記憶部４ｄに記憶されていると判断した場合には、その内容を更新する。
【００４５】
記憶部４ｄは、例えば、HDDからなり、画像観察画面作成部４ｃで作成された画像観察画面のデータを記憶する記憶手段として機能する。
【００４６】
画像呼び出し部４ｅは、操作者により、患者IDや検査IDなどを表す情報が入力され、画像データの呼び出しが要求されると、医用画像保管装置３から対応する画像データを呼び出し、呼び出した画像データを、制御部４ｆに出力する。
【００４７】
制御部４ｆは、呼び出し要求に含まれる患者IDまたは検査IDに基づいて、記憶部４ｄから対応する画像観察画面のデータを読み出し、読み出した画像観察画面のデータに登録されている画像リンク情報に基づいて、画像呼び出し部４ｅから出力された画像データを、予め決定してある所定の区分先（表示領域）に配置して表示装置に表示させる制御手段として機能する。
【００４８】
例えば、制御部４ｆは、ひとつの画像区分をひとつのタブ（矩形など）で表し、複数の画像区分がある場合には、そのタブを重ね合わせたようなスタック表示となるように画面に配置する。
【００４９】
図３は、画像観察画面Ｗの表示例を示す図である。
【００５０】
図３に示す画像観察画面Ｗにおいて、「診断画像」の画像区分を表すタブＴ１、「治療画像」の画像区分を表すタブＴ２、「予後観察画像」の画像区分を表すタブＴ３がスタック表示されており、図３の表示例では、「診断画像」の画像区分を表すタブＴ１がアクティブ表示となっている。これらのタブＴ１乃至Ｔ３は、表示させたいタブ上をクリックすることによって、切り替える（最上面に移動させる）ことが可能である。
【００５１】
「診断画像」の画像区分を表すタブＴ１の表示領域には、Ｘ線画像、ＣＴ画像、および心電図など、診断目的で得られた各種の画像が表示される。
【００５２】
「治療画像」の画像区分を表すタブＴ２の表示領域には、治療目的で得られた各種の画像が表示される。例えば、治療前の画像（診断で得られた画像から生成された２次的な画像）と治療後の画像が並べて表示される。
【００５３】
「予後観察画像」の画像区分を表すタブＴ３の表示領域には、予後観察目的で得られた各種の画像が表示される。例えば、治療終了時の画像（治療で得られた画像から生成された２次的または３次的な画像）と予後観察目的で得られた画像が並べて表示される。
【００５４】
図３に示すような画像観察画面Ｗを表示させることにより、医師や技師は、業務内容に即した画像区分で画像を確認することができる。
【００５５】
次に、図４のフローチャートを参照して、医用画像観察装置４が実行する画像区分処理について説明する。
【００５６】
ステップＳ１において、情報取得部４ａは、情報管理装置１または医用画像診断装置２から出力された情報を取得し、取得した情報を画像区分判定部４ｂに供給する。
【００５７】
ステップＳ２において、画像区分判定部４ｂは、情報取得部４ａから供給された情報が、情報管理装置１からの情報であるか否かを判定し、情報管理装置１からの情報であると判定した場合ステップＳ３に進む。
【００５８】
ステップＳ３において、画像区分判定部４ｂは、情報管理装置１から供給された情報から、１回目の検査オーダであるか否かを判定し、すなわち、「診断」の目的であることを表す情報が検査オーダに含まれているか否かを判定し、１回目の検査オーダであると判定した場合、ステップＳ４に進む。
【００５９】
ステップＳ４において、画像区分判定部４ｂは、検査オーダに基づいて医用画像診断装置２で収集され、医用画像保管装置３に保管される画像データを、「診断画像」の区分先に決定する。
【００６０】
ステップＳ５において、画像観察画面作成部４ｃは、ステップＳ４の処理で決定された画像データの区分先を表す情報に基づいて、医用画像保管装置３から呼び出す画像を、所定の表示領域に表示することができる画像観察画面を新規に作成する。これにより、例えば、図５に示すように、「診断画像」の画像区分を表すタブＴ１のみが配置された画像観察画面Ｗが新規に作成される。なお、まだこの時点では、画像の呼び出しが行われていないため、タブＴ１には、画像が何も配置されていない。
【００６１】
そして、画像観察画面作成部４ｃは、作成した画像観察画面のデータ、および、その画像観察画面上に画像を配置するための画像リンク情報を記憶部４ｄに記憶させる。
【００６２】
一方、ステップＳ３において、画像区分判定部４ｂは、情報管理装置１から供給された情報から、２回目以降の検査オーダであると判定した場合、すなわち、過去に検査が行われたことを表す情報（例えば、前回の検査日時）または「治療」の目的であることを表す情報が検査オーダに含まれていると判定した場合、ステップＳ６に進む。
【００６３】
ステップＳ６において、画像区分判定部４ｂは、検査オーダに含まれる過去の検査情報に基づいて、今回の検査オーダが、前回の検査オーダから所定期間内の検査オーダであるか否かを判定し、前回の検査オーダから所定期間内の検査オーダであると判定した場合、ステップＳ７に進む。
【００６４】
ステップＳ７において、画像区分判定部４ｂは、検査オーダに基づいて医用画像診断装置２で収集され、医用画像保管装置３に保管される画像データを、「治療画像」の区分先に決定する。つまり、前回の検査オーダから所定期間内に発行された検査オーダは、「治療」が目的の検査オーダと判断される。
【００６５】
ステップＳ８において、画像観察画面作成部４ｃは、検査オーダに基づいて、記憶部４ｄから対応する画像観察画面のデータを読み出し、ステップＳ７の処理で決定された画像データの区分先を表す情報に基づいて、その内容を更新する。
【００６６】
これにより、例えば、図６に示すように、「診断画像」の画像区分を表すタブＴ１、および「治療画像」の画像区分を表すタブＴ２が配置された画像観察画面Ｗに更新される。なお、「診断画像」の画像区分を表すタブＴ１には、診断目的で得られた画像が配置されているものの、「治療画像」の画像区分を表すタブＴ２には、治療目的で得られた画像の呼び出しがまだ行われていないため、画像が何も配置されていない。
【００６７】
そして、画像観察画面作成部４ｃは、更新した画像観察画面のデータおよび、その画像観察画面上に配置するための画像リンク情報を記憶部４ｄに記憶させる。
【００６８】
一方、ステップＳ６において、画像区分判定部４ｂは、今回の検査オーダが、前回の検査オーダから所定期間を経過している検査オーダであると判定した場合、ステップＳ９に進む。
【００６９】
ステップＳ９において、画像区分判定部４ｂは、検査オーダに基づいて医用画像診断装置２で収集され、医用画像保管装置３に保管される画像データを、「予後観察画像」の区分先に決定する。つまり、前回の検査オーダから所定期間が経過して発行された検査オーダは、「予後観察」が目的の検査オーダと判断される。
【００７０】
ステップＳ１０において、画像観察画面作成部４ｃは、検査オーダに基づいて、記憶部４ｄから対応する画像観察画面のデータを読み出し、ステップＳ９の処理で決定された画像データの区分先を表す情報に基づいて、その内容を更新する。
【００７１】
これにより、例えば、図７に示すように、「診断画像」の画像区分を表すタブＴ１、「治療画像」の画像区分を表すタブＴ２、および「予後観察画像」の画像区分を表すタブＴ３が配置された画像観察画面Ｗに更新される。なお、「診断画像」の画像区分を表すタブＴ１および「治療画像」の画像区分を表すタブＴ２には、それぞれ診断目的で得られた画像や治療目的で得られた画像が配置されているものの、「予後観察画像」の画像区分を表すタブＴ３には、予後観察目的で得られた画像の呼び出しがまだ行われていないため、画像が何も配置されていない。
【００７２】
ステップＳ２において、画像区分判定部４ｂは、情報取得部４ａから供給された情報が、医用画像診断装置２からの情報であると判定した場合、ステップＳ１１に進み、医用画像診断装置２から供給された情報である、検査オーダに含まれる画像識別情報および画像区分先を表す情報から、画像データの区分先を決定する。
【００７３】
例えば、医用画像診断装置２から、「治療画像」の画像区分先を表す情報が供給された場合、医用画像診断装置２で生成され、医用画像保管装置３に保管される２次的な画像データを、「治療画像」の区分先に決定する。
【００７４】
また例えば、医用画像診断装置２から、「予後観察画像」の画像区分先を表す情報が供給された場合、医用画像診断装置２で生成され、医用画像保管装置３に保管される２次的な画像データを、「予後観察画像」の区分先に決定する。
【００７５】
ステップＳ１２において、画像観察画面作成部４ｃは、検査オーダに基づいて、記憶部４ｄから対応する画像観察画面のデータを読み出し、ステップＳ１１の処理で決定された画像データの区分先を表す情報に基づいて、その内容を更新する。
【００７６】
これにより、例えば、図６または図７に示したような画像観察画面Ｗに更新される。なお、「治療画像」の画像区分を表すタブＴ２や「予後観察画像」の画像区分を表すタブＴ３が既に作成されており、既に配置された画像が存在する場合には、そこに画像を配置するための画像リンク情報が更新される。
【００７７】
以上のように、情報管理装置１から供給される検査オーダに含まれる情報に基づいて、画像データの区分先を予め決定しておくことにより、医用画像診断装置２で収集され医用画像保管装置３で保管される画像データを呼び出す際に、「診断画像」、「治療画像」、または「予後観察画像」の画像区分に分けて表示させることができる。
【００７８】
また医用画像診断装置２から供給される検査オーダに含まれる情報に基づいて、医用画像診断装置２で生成され医用画像保管装置３で保管される２次的な画像データを呼び出す際に、「診断画像」、「治療画像」、または「予後観察画像」の画像区分に分けて表示させることができる。
【００７９】
従って、医師や技師は、業務内容に即した画像区分で画像を確認することができ、所望の画像を容易に検索することが可能となる。また画像観察画面Ｗ上にタブＴ２またはタブＴ３がまだ作成されていない場合には、その患者の治療状況も容易に確認することができる。
【００８０】
以上において、医用画像診断装置２は、画像区分先を表す情報、および生成した２次的な画像データを識別する情報を検査オーダに含ませて医用画像観察装置４に供給するようにしたが、これに限らず、画像区分先を表す情報、および生成した２次的な画像データを識別する情報のみを通知するようにしてもよい。
【００８１】
次に、図８のフローチャートを参照して、医用画像観察装置４が実行する画像呼び出し処理について説明する。
【００８２】
ステップＳ２１において、画像呼び出し部４ｅは、操作者によって画像データの呼び出しが要求されると、その要求に含まれる患者IDや検査IDなどに基づいて、医用画像保管装置３から対応する画像データを呼び出す。
【００８３】
ステップＳ２２において、制御部４ｆは、画像データの呼び出し要求に含まれる患者IDや検査IDなどに基づいて、記憶部４ｄから対応する画像観察画面のデータを読み出す。
【００８４】
ステップＳ２３において、制御部４ｆは、ステップＳ２１の処理で画像呼び出し部４ｅによって呼び出された画像データを、ステップＳ２２の処理で読み出した画像観察画面のデータに含まれる画像リンク情報に基づいて、画像観察面上の所定の画像区分先に配置して表示装置に表示させる。
【００８５】
これにより、例えば、図３、図６または図７に示したように、「診断画像」の画像区分を表すタブＴ１、「治療画像」の画像区分を表すタブＴ２、および「予後観察画像」の画像区分を表すタブＴ３を有する画像観察画面Ｗが表示装置に表示される。
【００８６】
以上のように、患者、検査、シリーズ、および画像の画一的な従来の区分方法から、それぞれの患者の診断状況に即した情報を加味することで、複数存在する画像を、「診断画像」、「治療画像」、および「予後観察画像」のように診断過程に応じた区分方法で表示することが可能となる。従って、医師や技師は、業務内容に即した画像区分で画像を確認することができ、読影および診断の効率化を図ることができる。
【００８７】
この発明は、上記実施の形態そのままに限定されるものではなく、実施段階ではその要旨を逸脱しない範囲で構成要素を変形して具体化したり、上記実施の形態に開示されている複数の構成要素を適宜組み合わせたりすることにより種々の発明を形成できる。例えば、実施の形態に示される全構成要素から幾つかの構成要素を削除してもよい。さらに、異なる実施の形態に亘る構成要素を適宜組み合わせても良い。
【符号の説明】
【００８８】
１  情報管理装置
２  医用画像診断装置
３  医用画像保管装置
４  医用画像観察装置
４ａ  情報取得部
４ｂ  画像区分判定部
４ｃ  画像観察画面作成部
４ｄ  記憶部
４ｅ  画像呼び出し部
４ｆ  制御部
【図１】
0005491808.tif 000002
【図２】
0005491808.tif 000003
【図３】
0005491808.tif 000004
【図４】
0005491808.tif 000005
【図５】
0005491808.tif 000006
【図６】
0005491808.tif 000007
【図７】
0005491808.tif 000008
【図８】
0005491808.tif 000009